(57)【要約】【課題】商品を見やすくかつ取り出しやすく収容でき、冷凍冷蔵用空間全体をむら無く効率的に冷却でき、さらには意匠的な置き物としてフロアの中央に設置できる木桶冷凍冷蔵庫を提供する。【解決手段】木桶冷凍冷蔵庫１００の冷凍冷蔵用空間Ｓは、上部が開放された平面視円形に形成されている。第１の冷媒循環用管体１４は、底部用断熱層３０内で金属製底板１２の下面に配設され、第２の冷媒循環用管体１６は、側部用断熱層３２内で金属製側板１４の外面に配設され、第３の冷媒循環用管体１８は、金属製底板１０の中央部から立設されている。木材製外板２０は、側部用断熱層３２の外側全周を覆うように設けられ、木材製外板２０はフレーム４０に取着されている。【選択図】        図４
0003108710.tif 000002
【実用新案登録請求の範囲】
【請求項１】
上部が開放された平面視円形または楕円形の冷凍冷蔵用空間と、
前記冷凍冷蔵用空間の底部を画成する金属製底板と、
前記金属製底板の周囲から起立し前記冷凍冷蔵用空間の側部を画成する金属製側板と、
前記金属製底板の下面全域との間に形成された底部用断熱層と、
前記金属製側板の外面周囲全域との間に形成された側部用断熱層と、
前記底部用断熱層内で前記金属製底板の下面に配設された第１の冷媒循環用管体と、
前記側部用断熱層内で前記金属製側板の外面に配設された第２の冷媒循環用管体と、
前記金属製底板の中央部から立設された第３の冷媒循環用管体と、
前記側部用断熱層の外側を覆うように設けられた木材製外板と、
前記第１、第２、第３の冷媒循環用管体に冷媒を供給する冷媒供給手段と、
前記冷凍冷蔵用空間の温度が所望の値となるように前記冷媒供給手段を制御する制御手段と、
を備える木桶冷凍冷蔵庫。
【請求項２】
前記側部用断熱層の外面周囲全域と前記木材製外板との間に側部断熱用空気層が設けられていることを特徴とする請求項１記載の木桶冷凍冷蔵庫。
【請求項３】
前記底部用断熱層の下面全域に臨ませて底部断熱用空気層が設けられていることを特徴とする請求項１記載の木桶冷凍冷蔵庫。
【請求項４】
前記木材製外板の上端全周には、該木材製外板の上端全周から内側に突出する木材製の環板部が設けられ、前記金属製側板の上端は前記環板部の下面に臨んでいることを特徴とする請求項１記載の木桶冷凍冷蔵庫。
【請求項５】
前記第３の冷媒循環用管体は、前記底板の中心から鉛直に起立する仮想軸の周りに螺旋状に巻回した状態で配設されていることを特徴とする請求項１記載の木桶冷凍冷蔵庫。
【請求項６】
前記第３の冷媒循環用管体は、前記冷凍冷蔵用空間の上端近傍に位置する高さで形成されていることを特徴とする請求項１記載の木桶冷凍冷蔵庫。
【請求項７】
前記第１の冷媒循環用管体は、前記金属製底板の中央を中心とした渦巻状に巻回されていることを特徴とする請求項１記載の木桶冷凍冷蔵庫。
【請求項８】
前記第２の冷媒循環用管体は、前記側板の外面に巻回されていることを特徴とする請求項１記載の木桶冷凍冷蔵庫。
【請求項９】
前記第１、第２、第３の冷媒循環用管体は、あたかも単一の管体となるようにそれらの端部間が連結されていることを特徴とする請求項１記載の木桶冷凍冷蔵庫。
【請求項１０】
前記冷凍冷蔵用空間の深さよりも大きな寸法の高さで前記木材製外板が設けられ、前記底部断熱用空気層の下方で前記木材製外板の内周面の内側に空間部が確保されていることを特徴とする請求項３記載の木桶冷凍冷蔵庫。
【請求項１１】
前記空間部に、前記冷媒供給手段と前記制御手段が配置されていることを特徴とする請求項１０記載の木桶冷凍冷蔵庫。
【請求項１２】
金属製のフレームを備え、前記金属製底板、金属製側板、木材製外板は前記フレームに取着されていることを特徴とする請求項１記載の木桶冷凍冷蔵庫。
【請求項１３】
前記金属製底板および金属製側板を支持する金属製のフレームを備え、前記木材製外板は、幅よりも大きい寸法の長さを有する多数の細幅な板材が、それらの長さ方向を上下に向けて円筒状に並べられ、それらの内側が前記フレームに取着され、外側に木製あるいは金属製のベルトが掛装されていることを特徴とする請求項１記載の木桶冷凍冷蔵庫。
【考案の詳細な説明】
【技術分野】
【０００１】
本考案は木桶冷凍冷蔵庫に関する。
【背景技術】
【０００２】
従来から、上部が開放され平面視矩形の冷凍冷蔵空間を有し、この冷凍冷蔵空間に商品を収容して冷却する冷凍冷蔵庫が提供されている。
【考案の開示】
【考案が解決しようとする課題】
【０００３】
このような冷凍冷蔵庫を店舗に設置する場合には、冷凍冷蔵庫の輪郭を店舗の壁面に当接して配置することが多い。そのため、冷凍冷蔵庫の前方からしか冷凍冷蔵庫の内部を視認したり商品を取り出すことができず、使い勝手に欠ける面がある。
また、従来の冷凍冷蔵庫では、冷凍冷蔵用空間が平面視矩形であるため、冷凍冷蔵用空間の中央と周辺とでは、温度分布に偏りが生じがちであり、冷凍冷蔵用空間全体をむら無く効率的に冷却する上で不利がある。
また、従来の冷凍冷蔵庫では、平面視矩形でその外装が金属や合成樹脂で形成されている場合が多く、そのため意匠的な置き物としてフロアの中央に設置しがたく、また、顧客の視覚的な興味を引きつけるデザイン性に欠ける面がある。
本考案は前記事情に鑑み案出されたものであって、本考案の目的は、商品を見やすくかつ取り出しやすく収容でき、冷凍冷蔵用空間全体をむら無く効率的に冷却でき、さらには意匠的な置き物としてフロアの中央に設置できる木桶冷凍冷蔵庫を提供することにある。
【課題を解決するための手段】
【０００４】
前記目的を達成するため本考案の木桶冷凍冷蔵庫は、上部が開放された平面視円形または楕円形の冷凍冷蔵用空間と、前記冷凍冷蔵用空間の底部を画成する金属製底板と、前記金属製底板の周囲から起立し前記冷凍冷蔵用空間の側部を画成する金属製側板と、前記金属製底板の下面全域との間に形成された底部用断熱層と、前記金属製側板の外面周囲全域との間に形成された側部用断熱層と、前記底部用断熱層内で前記金属製底板の下面に配設された第１の冷媒循環用管体と、前記側部用断熱層内で前記金属製側板の外面に配設された第２の冷媒循環用管体と、前記金属製底板の中央部から立設された第３の冷媒循環用管体と、前記側部用断熱層の外側を覆うように設けられた木材製外板と、前記第１、第２、第３の冷媒循環用管体に冷媒を供給する冷媒供給手段と、前記冷凍冷蔵用空間の温度が所望の値となるように前記冷媒供給手段を制御する制御手段とを備えることを特徴とする。
【考案の効果】
【０００５】
本考案によれば、冷凍冷蔵庫用空間は上部が開放された平面視円形または楕円形を呈し、外装が木材で形成されていることから、あたかも木桶状を呈しており、木桶冷凍冷蔵庫を意匠的置き物として例えば店舗のフロアの中央やオフィスビルのフロアの中央に違和感なく設置することができ、店舗を訪れた顧客が、木桶冷凍冷蔵庫の周囲のどの場所にいても、冷凍冷蔵庫用空間を容易に視認できるとともに、冷凍冷蔵庫用空間内の商品を容易に取り出すことができ、使い勝手を向上させる上で有利となる。
また、第１〜第３の冷媒循環用管体によって、冷凍冷蔵用空間をその底部と側部と中央の３箇所から冷却できるので、冷凍冷蔵用空間全体をむら無く効率的に冷却できる。
【考案を実施するための最良の形態】
【０００６】
本考案は、上部が開放された平面視円形または楕円形の冷凍冷蔵用空間を第１〜第３の冷媒循環用管体によって冷却し、側部断熱用空間の外側を覆うように木材製外板を設けることで上記目的を達成した。
【実施例１】
【０００７】
次に、本考案の実施例について図面にしたがって説明する。
図１は本実施例における冷凍冷蔵庫の平面図、図２は図１のＡ矢視図、図３はフレーム４０の平面図、図４は図１のＢＢ線断面図、図５は図４から一部の部材を取り除いた状態を示す説明図、図６は冷凍冷蔵庫の制御系を示すブロック図、図７は冷凍冷蔵庫の冷媒供給手段の構成を示す説明図である。
【０００８】
図１、図２、図４に示すように、本実施例の木桶冷凍冷蔵庫１００は、冷凍冷蔵用空間Ｓと、金属製底板１０と、金属製側板１２と、第１〜第３の冷媒循環用管体１４、１６、１８と、木材製外板２０と、冷媒供給手段２２と、制御手段２４とを備えている。
冷凍冷蔵用空間Ｓは、上部が開放された平面視円形に形成されている。
金属製底板１０は、冷凍冷蔵用空間Ｓの底部を画成しており、円形を呈している。
金属製側板１２は、金属製底板１０の周囲から起立し冷凍冷蔵用空間Ｓの側部を画成している。
金属製底板１０の下方にはこの金属製底板１０と間隔をおいて金属製底板１０よりも一回り大きな輪郭の外側底板２６が設けられ、この外側底板２６の周囲全周からは金属製側板１２と間隔をおいて金属製側板１２とほぼ同じ高さを有する外側側板２８が起立されている。
金属製底板１０の下面全域と外側底板２６との間には底部用断熱層３０が形成され、底部用断熱層３０には断熱材３４が収容されている。
金属製側板１２の外面全域と外側側板２８との間には側部用断熱層３２が形成され、側部用断熱層３２にも断熱材３４が収容されている。
本実施例では、金属製底板１０、金属製側板１２、外側底板２６、外側側板２８は、水に対して錆びにくいステンレスなどの金属で形成され、断熱材３４は断熱性を有する発泡ウレタンなどの材料で形成されている。
なお、冷凍冷蔵用空間Ｓは水密に形成されており、冷凍冷蔵用空間Ｓに水を張っておくことができるように構成され、図４において、符号１１は金属製底板１０、外側底板２６を貫通する排水口であり、冷凍冷蔵用空間Ｓの水を排水するものであり、不図示の栓によって開閉されるものである。
【０００９】
図４、図５に示すように、第１の冷媒循環用管体１４は、底部用断熱層３０内で金属製底板１２の下面に配設されており、本実施例では、金属製底板１２の中央を中心とした渦巻状に巻回されている。
第２の冷媒循環用管体１６は、側部用断熱層３２内で金属製側板１４の外面に配設され、本実施例では、金属製側板１４の外面に巻回されている。
第３の冷媒循環用管体１８は、金属製底板１０の中央部から立設されている。
本実施例では、金属製底板１０の中心から鉛直に起立する仮想軸の周りに螺旋状に巻回した状態で配設されている。また、平面視した場合に、第３の冷媒循環用管体１８は、冷凍冷蔵用空間Ｓの内径の１／４から１／５程度の直径の円筒面上を螺旋状に巻回されている。また、第３の冷媒循環用管体１８は、冷凍冷蔵用空間Ｓの上端近傍に位置する高さで形成され、詳細には、冷凍冷蔵用空間Ｓの上端よりも若干低い高さで形成されている。
図６に示すように、第１、第２、第３の冷媒循環用管体１４、１６、１８は、あたかも単一の管体となるようにそれらの端部間が連結されており、本実施例では、第１、第２、第３の冷媒循環用管体１４、１６、１８はこれらの順番で接続されている。
第１、第２、第３の冷媒循環用管体１４、１６、１８は、例えば、熱伝導性の良い銅などの金属で形成されている。
また、第３の冷媒循環用管体１８には冷媒供給管２２０８が接続され、第１の冷媒循環用管体１８には冷媒排出管２２１０が接続されている。これら管体２２０８、２２１０は、シール部材５０を介して金属製底板１０および外側底板２６を液密に貫通して後述する冷媒供給手段２２に接続されている。
【００１０】
金属製底板１０、金属製側板１２、第１〜第３の冷媒循環用管体１４、１６、１８、外側底板２６、外側側板２８、断熱材３４は、図４に示すように、金属製のフレーム４０で支持されている。
図３に示すように、フレーム４０は、外側底板２６の輪郭に沿って延在する円環状枠部４００２と、円環状枠部４００２の内側に掛け渡された補強枠部４００４と、円環状枠部４００２の周方向に等間隔をおいた複数箇所（本実施例では４箇所）からそれぞれ垂設された脚部４００６とを有し、各脚部４００６の下端にはキャスター４００８が設けられ、木桶冷凍冷蔵庫１００を簡単に移動できまた移動した場所で移動不能に設置できるように構成されている。
【００１１】
図１、図４に示すように、木材製外板２０は、側部用断熱層３２の外側全周を覆うように設けられ、木材製外板２０はフレーム４０に取着されている。
木材製外板２０は、幅よりも大きい寸法の長さを有する多数の細幅な板材が、それらの長さ方向を上下に向けて円筒状に並べられ、内側がＬ型の取付片４０１０を介してフレーム４０に取着され、外側に木製あるいは金属製のベルト２００２などが掛装され、あたかも大型な木桶を呈する。前記板材としては、例えば、厚さ２０ｍｍ、幅１００ｍｍ、長さ８００ｍｍの杉の木からなる板材が用いられている。
本実施例では、冷凍冷蔵用空間Ｓの深さよりも大きな寸法の高さで木材製外板２０が設けられ、側部用断熱層３２の外面周囲全域と木材製外板２との間に円筒状の側部断熱用空気層３８が形成され、底部用断熱層３０の下面全域に臨ませて底部断熱用空気層３６が形成され、底部断熱用空気層３６の下部に空間部３７（空きスペース）が形成されている。
また、本実施例では、木材製外板２０の上端には木材製外板２０の内周全周に木材製の環板部２１が形成され、この環板部２１の内周部は金属製側板１２の上端に位置し、環板部２１の下方に側部用断熱層３２および底部断熱用空気層３８が位置することになる。
【００１２】
図４に示すように、フレーム４０の４つの脚部４００６の高さ方向の中間部には、すなわち空間部３７には、水平面内を延在する複数のステー４２が取着されている。
冷媒供給手段２２および制御手段２４はステー４２の上に載置されている。
図６、図７に示すように、冷却供給手段２２は、コンプレッサ（圧縮機）２２０２、コンデンサ（凝縮器）２２０４、レシーバタンク２００５、膨張弁２２０６を備えている。
コンプレッサ２２０２は、冷媒排出管２２１０を介して第１の冷媒循環用管体１４に接続され、冷媒供給管２２０８から供給される冷媒を圧縮するものであり、電気駆動式のモータによって駆動される。
コンデンサ２２０４はコンプレッサ２２０２で圧縮された冷媒を受け取って凝縮するものである。
レシーバタンク２００５は、コンデンサ２２０４から供給される冷媒（液冷媒）を保管するタンクである。
膨張弁２２０６は、冷媒排出管２２１０を介して第３の冷媒循環用管体１８に接続され、レシーバタンク２００５から供給される冷媒を膨張させ冷媒供給管２２０８を介して第３の冷媒循環用管体１８に供給するものである。
したがって、冷媒供給手段２２は、冷媒を、コンプレッサ２２０２から、コンデンサ２２０４、レシーバタンク２００５、膨張弁２２０６、冷媒供給管２２０８、第３の冷媒循環用管体１８、第２の冷媒循環用管体１６、第１の冷媒循環用管体１４、冷媒排出管２２１０を経て再びコンプレッサ２２０２に戻すという冷却サイクルを繰り返し、この冷却サイクルによって冷却された冷媒を第１〜第３の冷媒循環用管体１４、１６、１８に繰り返して供給する。
冷却された冷媒が第１の冷媒循環用管体１４に供給されることで金属製底板１０が冷却され、冷凍冷蔵用空間Ｓが底部から上部に向かって冷却される。
冷却された冷媒が第２の冷媒循環用管体１６に供給されることで金属製側板１２が冷却され、冷凍冷蔵用空間Ｓが側部から中央に向かって冷却される。
冷却された冷媒が第３の冷媒循環用管体１８に供給されることで冷凍冷蔵用空間Ｓが中央から側部に向かって冷却される。
これにより、冷凍冷蔵用空間Ｓがその底部と側部と中央の３箇所から冷却され、冷凍冷蔵用空間Ｓ内に置かれた商品、例えば、要冷蔵物（魚などの生ものや乳製品などの食品あるいは飲料品など）や要冷凍物（冷凍食品など）が冷却される。
なお、冷凍冷蔵用空間Ｓはその上部が開放されているものの、第１〜第３の冷媒循環用管体１４、１６、１８によって冷却された空気はその比重が重いため、冷凍冷蔵用空間Ｓ内に留まるので、冷凍冷蔵用空間Ｓ内の温度が低温に保持されることになる。
【００１３】
図４に示すように、制御手段２４は、サーミスター２４０２と制御部２４０４を有している。
サーミスター２４０２は、温度を検知する感温部２４０２Ａが冷凍冷蔵用空間Ｓ内に配置され、感温部２４０２Ａから検知信号を伝達する配線部２４０２Ｂが金属製底板１０と外側底板２６をシール部材５２を介して液密に貫通して制御部２４０４に接続されている。
制御部２４０４は、配線部２４０２Ｂを介して入力される前記検知信号に基づいて冷凍冷蔵庫用空間Ｓ内の温度を検知するとともに、その温度が所望の値となるように冷媒供給手段２２を制御するように構成されている。
制御部２４０４による冷媒供給手段２２の制御は、例えば、コンプレッサ２２０２からコンデンサ２２０４に供給される冷媒の流量を制御することなどによって行われる。
【００１４】
本実施例の木桶冷凍冷蔵庫１００によれば、冷凍冷蔵庫用空間Ｓは上部が開放された平面視円形を呈し、あたかも木桶状を呈しているため、木桶冷凍冷蔵庫１００を例えば店舗のフロアの中央やオフィスビルのフロアの中央に意匠的な置き物として違和感なく設置することができ、店舗を訪れた顧客が、木桶冷凍冷蔵庫１００の周囲のどの場所にいても、冷凍冷蔵庫用空間Ｓを容易に視認できるとともに、冷凍冷蔵庫用空間Ｓ内の商品を容易に取り出すことができ、使い勝手を向上させる上で有利となる。
また、側部用断熱層３２の外側全周を覆うように木材製外板２０が設けられていることから木桶冷凍冷蔵庫１００があたかも木製の桶に見え、意匠的にも優れ冷凍冷蔵庫の美観を向上させる上で有利となる。
また、第１〜第３の冷媒循環用管体１４、１６、１８によって、冷凍冷蔵用空間Ｓをその底部と側部と中央の３箇所から冷却できるので、冷凍冷蔵用空間Ｓ全体をむら無く効率的に冷却できる。また、第３の冷媒循環用管体１８が冷凍冷蔵用空間Ｓの上端近傍に位置する高さで形成されているので、冷凍冷蔵用空間Ｓの中央部上端付近まで冷却することができ、冷凍冷蔵用空間Ｓの温度の均一化を図る上でより一層有利となる。
側部用断熱層３２の外面周囲全域と木材製外板２０との間に側部断熱用空気層３８が設けられていることから、木材製外板２０による断熱効果に加えて側部断熱用空気層３８による断熱効果を得ることができ、また、底部用断熱層３６の下面全域に臨ませて底部断熱用空気層３８が設けられていることから、底部断熱用空気層３８による断熱効果を得ることができ、冷却能力を向上させるとともにコンプレッサ２２０２などの消費電力を削減する上で有利となる。
また、木材製外板２０の上端全周に環板部２１が設けられ、金属製側板１２の上端は環板部２１の下面に臨んでいるため、顧客が冷却された金属製側板１２の上端に触れることが無く、環板部２１に手をおいて、冷凍冷蔵用空間Ｓに並べられた商品を落ち着いて見ることができ、顧客を引きつけ売り上げを高める上で有利となる。
また、第３の冷媒循環用管体１８が金属製底板１０の中心から鉛直に起立する仮想軸の周りに螺旋状に巻回した状態で配設されているので、第３の冷媒循環用管体１８が単に直線状に配設されている場合に比べて視覚的に興味を起こさせることができ意匠的に優れている。
また、冷凍冷蔵用空間Ｓは水密に形成されているので、冷凍冷蔵用空間Ｓに水を張り魚を泳がせることができ、また、冷凍冷蔵用空間Ｓに張った水を冷却することで氷を作ることもできる。
【００１５】
本実施例では、冷凍冷蔵用空間Ｓが平面視円形である場合について説明したが、冷凍冷蔵用空間Ｓが平面視楕円形であってもよい。
また、本実施例では、フレーム４０の下端にキャスター４００８を設け、キャスター４００８により移動できる移動式（無論、キャスター４００８をロックすることで安定した状態で床などに載置されることになる）としたが、固定式とするなど任意である。
【図面の簡単な説明】
【００１６】
【図１】本実施例における木桶冷凍冷蔵庫１００の平面図である。
【図２】図１のＡ矢視図である。
【図３】フレーム４０の平面図である。
【図４】図１のＢＢ線断面図である。
【図５】図４から一部の部材を取り除いた状態を示す説明図である。
【図６】木桶冷凍冷蔵庫１００の制御系を示すブロック図である。
【図７】冷凍冷蔵庫の冷媒供給手段の構成を示す説明図である。
【符号の説明】
【００１７】
Ｓ……冷凍冷蔵用空間、１０……金属製底板、１２……金属製側板、１４……第１の冷媒循環用管体、１６……第２の冷媒循環用管体、１８……第３の冷媒循環用管体、２０……木材製外板、２２……冷媒供給手段、２４……制御手段、３０……底部用断熱層、３２……側部用断熱層、１００……木桶冷凍冷蔵庫。
【図１】
0003108710.tif 000003
【図２】
0003108710.tif 000004
【図３】
0003108710.tif 000005
【図４】
0003108710.tif 000006
【図５】
0003108710.tif 000007
【図６】
0003108710.tif 000008
【図７】
0003108710.tif 000009